(57)【特許請求の範囲】
【請求項１】
上流側から下流側へ流れる流れの逆流を防止する逆流防止装置において、一次側流路と二次側流路の間の流路に弁室を設け、ダイアフラムにより弁室を一次側流路側の上流室と二次側流路側の下流室に水密に仕切り、前記ダイアフラムの軸心部に上流室と下流室を連通する透孔を開口し、上流室側に前記透孔を囲む弁座Ａを形成し、下流室に大気に連通する開放孔を開口し、弁座Ａと中心軸を同じとする前記開放孔を囲む弁座Ｂを形成して、上流室側から弁座Ａに弁体Ａを対向させて第一逆止弁を構成すると共に前記弁体Ａに弁軸により弁体Ｂを連結して弁座Ｂに対向させて開放弁を構成し、附勢手段Ａにより常時弁体Ａを弁座Ａに附勢し、前記ダイアフラムを附勢手段Ｂにより常時上流室側に附勢し、第一逆止弁を開閉するダイアフラムと開放弁を開閉するダイアフラムを兼用することで第一逆止弁と開放弁が連係して開閉するようにした逆流防止装置。
【請求項２】
上流側から下流側へ流れる流れの逆流を防止する逆流防止装置において、一次側流路と二次側流路の間の流路に弁室を設け、ダイアフラムにより弁室を一次側流路側の上流室と二次側流路側の下流室に水密に仕切り、前記ダイアフラムの軸心部に上流室と下流室を連通する透孔を開口し、上流室側に前記透孔を囲む弁座Ａを形成すると共に上流接続口流路の上流室流入口周囲に弁座Ａと中心軸を同じとする前記流入口を囲む弁座Ｃを形成し、下流室に大気に連通する開放孔を開口し、弁座Ａと中心軸を同じとする前記開放孔を囲む弁座Ｂを形成して、上流室側から弁座Ａに弁体Ａの他面に一体的に弁体Ｃを形成又は装着した弁体Ａを対向させ第一逆止弁を構成し、弁体Ｃを弁座Ｃに対向させて第三逆止弁を構成すると共に前記弁体Ａに弁軸により弁体Ｂを連結して弁座Ｂに対向させて開放弁とし、附勢手段Ａにより常時弁体Ａを弁座Ａに附勢し、前記ダイアフラムを附勢手段Ｂにより常時上流室側に附勢し、第一逆止弁を開閉するダイアフラムと逃し弁を開閉するダイアフラムを兼用することで第一逆止弁と開放弁と第三逆止弁が連係して開閉するようにした逆流防止装置。
【請求項３】
弁体Ａを常時弁座Ａに附勢する附勢手段Ａをダイアフラムと弁体Ａ又は弁体Ａと一体的に接続された部材の間、又は弁箱と弁体Ａ又は弁体Ａと一体的に接続された部材の間のいずれか又は両方に附勢した請求項１，請求項２記載の逆流防止装置
【請求項４】
弁体Ｂに加わる下流室圧力による力とほぼ同じ大きさの下流室圧力による力が弁体Ｂへの作用と対向方向に作用する弁体又はピストンを弁体Ｂに一体的に連結装設した請求項１，請求項２、請求項３記載の逆流防止装置。
【請求項５】
弁体Ａ又は弁体Ｂ又は弁体Ａと弁体Ｂを連繋する弁軸の動きを検知する検知装置を装設して、弁体Ｂが弁座Ｂを離れ開弁する動きを検知して電気信号を出力する請求項１，請求項２，請求項３、請求項４記載の逆流防止装置
【発明の詳細な説明】
【０００１】
【発明の属する技術分野】
本発明は上流から下流に流れる流れの逆流を防止する逆流防止装置に関する。特に上水と雑水の回路を接続するような場合に利用される逆流防止装置に関する。
【０００２】
【従来の技術】
従来、雑水路と上水を接続する場合にはシスターンを用い上水を一旦シスターンで受け落差、ポンプ等により雑水側に送水する手段が行われていた。しかし設備の自動化、小型化が進みそれに対応する逆流防止装置として、水路に二つの逆止弁を直列に配し、該逆止弁間の下流室に通水圧が加わると閉じ、通水圧がなくなると開いて水路を大気開放する開放弁を設けた大気開放弁、水路に二つの逆止弁を直列に配し、該逆止弁間の下流室に一次側水圧と下流室水圧の差圧で開閉して下流室を大気開放する開放弁を設けた減圧式逆流防止器等が使用されるようになってきた。
【０００３】
【発明が解決しようとする課題】
前述の大気開放弁は図１０に示すように図示しない一次側の開閉弁を開弁すると、一次側の第一逆止弁５０の弁体Ａ１０が通水圧によりバネＡ１６に対抗して押し下げられるに伴い、弁体Ａ１０に弁軸１５で連結接続された開放弁５１の弁体Ｂ１２も下降して、開放弁５１を閉弁して外部への流出をなくし、下流室６に流入した流水は二次側の第二逆止弁２１を押し開けて下流に流出する。一次側の開閉弁を閉弁すると、通水圧がなくなるので弁体Ａ１０、弁体Ｂ１２はバネＡ１６により押し上げられ、開放弁５１を開弁すると共に第一逆止弁５０を閉弁する。第二逆止弁２１も通水圧がなくなるので閉弁して下流からの下流室６への逆流をなくする構造となっている。
【０００４】
前述の減圧式逆流防止器は図１１に示すように一次側流路３に流入した流水はバネＡ１６に対抗して第一逆止弁５０の弁体Ａ１０を押し下げ開弁して下流室６に流入し、さらに二次側に装設された第二逆止弁２１を押し開け二次側流路４より流出する。導孔４０により一次側流路３とダイアフラム左室４１とが連通されているので一次側流路３の流水はダイアフラム７を右方向（開放弁５１を閉弁する方向）に加圧する。一方導孔４２によりダイアフラム右室４３と下流室６が連通されているので下流室６の流水はダイアフラム７を左方向（開放弁５１を開弁する方向）に加圧する。従って開放弁５１はダイアフラム７に加わる一次側流路３の水圧と下流室６の水圧とダイアフラム７を左方向（開放弁５１を開弁する方向）に附勢するバネＢ２７の力の関係で開閉する。従って、一次側流路３が低圧になると第一逆止弁５０と第二逆止弁２１が閉じ、開放弁５１が開弁し下流室６を大気に開放し逆流を防止する。二次側流路４が高圧になった場合、第二逆止弁２１が逆流を防止するが、第二逆止弁２１に漏れ等が生じると下流室６の圧力が高くなり開放弁５１が開弁して下流室６を大気に開放し逆流を防止する。第一逆止弁５０に漏れ等が生じると下流室６と一次側流路３の圧力差がなくなるので開放弁５１が開弁し逆流の危険を未然に防止する構造である。
【０００５】
前者大気開放弁は一次側流路水圧と下流室水圧を弁体Ａ１０で感知するので感圧力が小さく第一逆止弁５０は主に通水圧（動圧）で開閉されていると共に弁体Ａ１０と弁体Ｂ１２が連結され、第一逆止弁５０と開放弁５１は一方が開弁すると他方が閉弁する構造である。従って流水の開閉は上流一次側でしなければならない。
【０００６】
後者減圧式逆流防止器は第一逆止弁５０と開放弁５１が個別で開閉するので開放弁５１が正常時に開弁しないように一次側流路３と下流室６の圧力差を大きくする為に第一逆止弁５０のバネＡ１６を強くし通水抵抗を大きくしなければ成らないと共に一次側流路３と下流室６の水圧を感知し開放弁５１を開閉するダイアフラム７を別途装設しなければ成らず形状が大きくなり高価である。
【０００７】
【課題を解決するための手段】
前述の問題を解決するために本発明は、上流側から下流側へ流れる流れの逆流を防止する逆流防止装置において、一次側流路と二次側流路の間の流路に弁室を設け、ダイアフラムにより弁室を一次側流路側の上流室と二次側流路側の下流室に水密に仕切り、前記ダイアフラムの軸心部に上流室と下流室を連通する透孔を開口し、上流室側に前記透孔を囲む弁座Ａを形成し、下流室に大気に連通する開放孔を開口し、弁座Ａと中心軸を同じとする前記開放孔を囲む弁座Ｂを形成して、上流室側から弁座Ａに弁体Ａを対向させて第一逆止弁を構成すると共に弁体Ａに弁軸により弁体Ｂを連結して弁座Ｂに対向させて開放弁を構成し、附勢手段Ａにより常時弁体Ａを弁座Ａに附勢し、前記ダイアフラムを附勢手段Ｂにより常時上流室側に附勢し、第一逆止弁を開閉するダイアフラムと開放弁を開閉するダイアフラムを兼用することで第一逆止弁と開放弁が連係して開閉するようにした逆流防止装置であって、
【０００８】
その作動は図示しない開閉弁を開弁すると、一次側流路から流入した流水はダイアフラムを押圧し、附勢手段Ｂに対抗してダイアフラムが附勢手段Ａにより閉弁した状態の第一逆止弁を下流室側に動かし開放弁を閉弁する。さらに流水は開放弁が閉弁すると弁軸により弁体Ｂに連結された弁体Ａが移動できなくなるので、附勢手段Ａと附勢手段Ｂに対抗しダイアフラムに形成された弁座Ａを動かして第一逆止弁を開弁し、下流室に流入し、二次側流路より流出する。図示しない開閉弁を閉弁すると、ダイアフラムを押す圧力が小さくなるので、附勢手段Ａと附勢手段Ｂにより第一逆止弁が閉弁する。一次側流路側で負圧等が起こりダイアフラムを押す力がさらに小さくなると、附勢手段Ｂによりダイアフラムは閉弁した状態の第一逆止弁を上流室側に移動し、開放弁を開弁して下流室を大気に開放する。下流室の圧力が上昇すると、附勢手段Ｂによりダイアフラムは閉弁した状態の第一逆止弁を上流室側に移動し開放弁を開弁して下流室を大気に開放する。
【０００９】
従って開放弁を開閉するダイアフラムを上流室と下流室の間の流路に装設し、そのダイアフラムに第一逆止弁の弁座を形成し、第一逆止弁を開閉するダイアフラムとして兼用し、第一逆止弁と開放弁の開閉を連係させているので第一逆止弁の通水抵抗を大きくしなくても、正常時に開放弁が開弁する事がなく安全性が高く又小型で安価な逆流防止装置となる。
【００１０】
第２の発明は、上流側から下流側へ流れる流れの逆流を防止する逆流防止装置において、一次側流路と二次側流路の間の流路に弁室を設け、ダイアフラムにより弁室を一次側流路側の上流室と二次側流路側の下流室に水密に仕切り、前記ダイアフラムの軸心部に上流室と下流室を連通する透孔を開口し、上流室側に前記透孔を囲む弁座Ａを形成すると共に上流接続口流路の上流室流入口周囲に弁座Ａと中心軸を同じとする前記流入口を囲む弁座Ｃを形成し、下流室に大気に連通する開放孔を開口し、弁座Ａと中心軸を同じとする前記開放孔を囲む弁座Ｂを形成して、上流室側から弁座Ａに弁体Ａの他面に一体的に弁体Ｃを形成又は装着した弁体Ａを対向させて第一逆止弁を構成し、弁体Ｃを弁座Ｃに対向させて第三逆止弁を構成すると共に弁体Ａに弁軸により弁体Ｂを連結して弁体Ｂを弁座Ｂに対向させて開放弁とし、附勢手段Ａにより常時弁体Ａを弁座Ａに附勢し、前記ダイアフラムを附勢手段Ｂにより常時上流室側に附勢し、第一逆止弁を開閉するダイアフラムと開放弁を開閉するダイアフラムを兼用することで第一逆止弁と開放弁と第三逆止弁が連係して開閉するようにした逆流防止装置であって、
【００１１】
前述の発明に加え上流室流入口に第三逆止弁を設けることで、下流側からの逆圧、上流側に於ける負圧等によりダイアフラムを押す力が小さくなり、附勢手段Ｂによりダイアフラムが閉弁状態の第一逆止弁を移動し開放弁を開弁し、さらに移動すると第三逆止弁が閉弁して二重の安全を図るものである。
【００１２】
第３の発明は弁体Ａを常時弁座Ａに附勢する附勢手段Ａに関し、弁体Ａを常時弁座Ａに附勢する附勢手段Ａをダイアフラムと弁体Ａ又は弁体Ａと一体的に接続された部材の間、又は弁箱と弁体Ａ又は弁体Ａと一体的に接続された部材の間のいずれか又は両方に附勢した請求項１，請求項２記載の逆流防止装置であって、附勢手段Ａをダイアフラムと弁体Ａ又は弁体Ａと一体的に接続された弁軸又は弁軸と一体的に接続された部材との間に附勢させた場合には、第一逆止弁を開弁する際、附勢手段Ａと附勢手段Ｂに対抗して開弁する事となり、附勢手段Ａを弁箱と弁体Ａ又は弁体Ａと一体的に接続された部材の間に附勢させた場合には、第一逆止弁を開弁する際、附勢手段Ａの関与がなくなり附勢手段Ｂのみに対抗して開弁する特長があるので目的により選択する事で性能の良い逆流防止装置の設計が出来る。
【００１３】
第４の発明は弁体Ｂに加わる下流室圧力による力とほぼ同じ大きさの下流室圧力による力が弁体Ｂへの作用と対向方向に作用する弁体又はピストンを弁体Ｂに一体的に連結装設した請求項１，請求項２、請求項３記載の逆流防止装置であって、下流室の圧力が弁体Ｂを閉弁する方向に加圧される為に附勢手段Ｂを強くしなければならず、又附勢手段Ｂは弁体Ａを開弁する際の附勢力ともなっているので、通水抵抗にも影響することとなり自由な設計を制限される。弁体Ｂと有効面積をほぼ同一とする弁体又はピストンを下流室圧力が弁体Ｂと対向方向に作用するように弁体Ｂと一体的に装設する事により弁体Ｂに加わる下流室圧力の影響を打ち消し前記課題を解消し、自由な設計を出来るようにするものである。
【００１４】
第５の発明は弁体Ａ又は弁体Ｂ又は弁体Ａと弁体Ｂを連結する弁軸又は弁体Ａと一体的に連結された弁体若しくはピストンの動きを検知し電気信号を出力する検知装置を装設して、弁体Ｂの動きを検知し得るようにした請求項１，請求項２，請求項３、請求項４記載の逆流防止装置であって、流路の異常により逆圧の危険が生じ開放弁が開弁する事態になった場合に、信号を出し警報ランプを点滅する等により逆圧の危険、発生を知らせ、逆流を未然に防止するものである。
【００１５】
【実施例】
以下、本発明の実施例を図面に基づき説明する。
【００１６】
図１は本発明に係る逆流防止装置の一実施例の縦断面図で弁体Ａを常時弁座Ａに附勢する附勢手段Ａをダイアフラムと弁体Ａの間に附勢した例で非流水時を示している。弁箱を一次側流路３と端面にダイアフラム取付面を形成した一次側流路３と連通する上流室５を設け、上流室内面上部に弁体Ａ１０の上昇移動で弁体Ａ１０の上部が衝合し弁体Ａ１０を停止させる突起２０を上流室流入口１８の周囲に形成した弁箱Ａ１と二次側流路４と端面にダイアフラム取付面を形成した二次側流路４と連通する下流室６を設け、下流室底部には大気に連通する開放孔１９を開口し、端面に取付けるダイアフラム７と中心軸を同じとする前記開放孔１９を囲む弁座Ｂ１１を形成した弁箱Ｂ２とで構成する。
【００１７】
ダイアフラム７にはダイアフラム７の軸心部に軸心部に弁軸１５を貫通する貫通孔１４とその貫通孔１４の周囲に上流室５と下流室６を連通する透孔１３を設け透孔１３の上流室側に透孔１３を囲む弁座Ａ９を形成した弁座金具８を水密に一体的に取付け、ダイアフラム７の上流室側から弁体Ａ１０を弁体Ａ１０に一体的に取付けた弁軸１５を前記貫通孔１４に貫通して装設して弁座Ａ９に弁体Ａ１０を対向させて第一逆止弁５０とし、弁軸１５外周に一端を弁座金具８に懸架してバネＡ１６を附勢して弁軸１５の他端に弁体Ｂ１２を連結する。弁体Ｂ１２と弁軸１５は水密に連結するだけでも良いが、本実施例では弁体Ｂ１２を開弁し易くするパイロット弁を付与した方式とした。弁軸１５の下部を細くし弁軸細部２５とし、段差部に弾性体よりなる弁体Ｄ２３を形成し、弁体Ｂ１２の軸心部に弁軸細部２５が貫通する貫通孔２４を設け貫通孔２４の弁室側周囲を弁座Ｄ２２として、弁軸細部２５を貫通孔２４に貫通して弁体Ｄ２３が弁座Ｄ２２を離れ開弁する余裕を持たせて弁体Ｂ１２をＣ型止め輪２６で弁軸１５に連繋する。この場合前述と異なり、バネＡ１６は弁軸１５の弁体Ｄ２３上方部にバネ座１７を止着し前記バネ座１７と弁座金具８の間に附勢する。以下パイロット弁部については説明を割愛し弁体Ｂとして説明する。
【００１８】
前述のように組付けたダイアフラム７を弁箱Ｂ２と弁座金具８の間にバネＢ２７を附勢させ、弁体Ｂ１２を弁座Ｂ１１に対抗させて開放弁５１を構成し、弁箱Ａ１と弁箱Ｂ２のダイアフラム取付面で挟み弁箱Ａ１と弁箱Ｂ２を組み付ける。ダイアフラム７の可動距離と弁体Ａ１０と弁体Ｂ１２の連結距離はダイアフラム７の下流室側への動きで開放弁５１が閉弁してから第一逆止弁５０が開弁し、上流室側への動きで第一逆止弁５０が閉弁して開放弁５１が開弁する距離とする。二次側流路側に装着した第二逆止弁２１は開放弁５１が開弁した時下流から下流室６への逆流を防止するもので装着しない場合もある。ダイアフラムストッパー３８はダイアフラムに加わる力が大きい場合のダイアフラム保護としてダイアフラムの下流室側への動き制限するもので省く場合もある。突起２０は弁体Ａ１０の上流室側への動きを制限するもので第一逆止弁５０の閉弁性を良くするのとダイアフラム保護の働きをするもので省く場合もある。
【００１９】
以上のように構成した逆流防止装置の作動は図示しない開閉弁を開弁すると上流室５に流入した流水の水圧によって、ダイアフラム７は閉弁状態の第一逆止弁５０をバネＢ２７に対抗して下流室側に移動し開放弁５１を閉弁する。開放弁５１が閉弁すると弁体Ｂ１２と弁軸１５により連結されている弁体Ａ１０は移動できないのでダイアフラム７のみがバネＡ１６とバネＢ２７に対抗し下流室側に動き第一逆止弁５０を開弁して、流水が下流室６に流入し二次側流路側に装着した逆止弁２１を押し開けて下流に流出する図２に示す状態となる。
【００２０】
図示しない開閉弁を閉弁すると第二逆止弁２１が閉弁すると共に、流水の水圧によるダイアフラム７に作用する力が小さくなるので、バネＡ１６とバネＢ２７によりダイアフラム７が上流室側に動き第一逆止弁５０を閉弁して図１状態となる。
【００２１】
上流側で負圧等が起こりダイアフラム７に作用する力がさらに小さくなるとバネＢ２７によりダイアフラム７は閉弁した状態の第一逆止弁５０を上流室側に移動し開放弁５１を開弁して下流室６を大気に開放する。又下流側の圧力が高くなると第二逆止弁２１で逆流は防止されが、第二逆止弁２１に塵等により漏れが起こると下流室６の圧力が上昇してバネＢ２７によりダイアフラム７は閉弁した状態の第一逆止弁５０を上流室側に移動し開放弁５１を開弁して下流室６を大気に開放する図３の状態となる。
【００２２】
他の実施例を図４に示す。本実施例は前述の例に対し、突起２０に代えて弁箱Ａ１の上流室流入口１８の周囲に弁座Ａ９と中心軸を同じにする前記流入口１８を囲む弁座Ｃ２８を形成し、弁体Ａ１０の他面に弁体Ｃ２９を形成して弁座Ｃ２８に対向させ第三逆止弁５２を構成したものであり、又本実施例では前述の弁体Ｂ１２を開弁し易くするパイロット弁を付与した方式に代えて弁体Ｂ１２と弁軸１５を水密で僅かに動くように連結して弁体Ｂ１２と弁座Ｂ１１の閉弁性を良くする考慮をした実施例とした。その他の構成については前述の実施例と変わらない。
【００２３】
その作動は上流の負圧、下流の圧力上昇等が起きた場合に、バネＢ２７によりダイアフラム７は閉弁した状態の第一逆止弁５０を上流室側に移動し開放弁５１を開弁して下流室６を大気に開放し、さらに移動すると第三逆止弁５２を閉弁し、さらなる安全性を高めるものである。その他の作動は前述の実施例と変わらない。
【００２４】
他の実施例を図５に示す。本実施例は前述の例に対し、弁体Ａ１０を弁座Ａ９に附勢するバネＡ１６を弁箱と弁体Ａの間に附勢した実施例でありバネＡ１６が流れを阻害しないようにする為、弁箱Ａ１の一次側流路３に周囲を流路３１として軸心部にバネ座３２を設け、弁体Ａ１０の他面に形成された弁体Ｃ２９上部と前記バネ座３２との間にバネＡ１６を附勢するようにしてある。この場合、バネＡ１６は開放弁５１を閉弁する方向に附勢し、バネＢ２７は開放弁５１を開弁する方向に附勢するので、開放弁５１に作用するバネの力はバネＡ１６とバネＢ２７の差力となると共に、バネＡ１６はダイアフラム７に作用しないので、第一逆止弁５０の開閉に作用するバネの力はバネＢ２７のみとなる。而して第一逆止弁５０の通水抵抗を小さくする場合に有効である。その他の構成、作動は前述の実施例と変わらない。
【００２５】
さらに他の実施例を図６に示す。本実施例は下流室６の圧力が弁体Ｂ１２に作用しなくした実施例であり、下流室６の流水を導孔４４により下流室６と開放孔１９を挟んで対向する位置の感圧室４５に連通して、感圧室４５と開放孔１９との貫通穴４６に弁座Ｂ１１と中心軸を同じとする摺動筒４７を形成し有効面積を弁体Ｂ１２と約同じとするピストン４９を水密的に摺動可能に嵌装して、弁体Ｂ１２を連結している弁軸１５に止め輪４８又はネジで水密に連結する。
【００２６】
そしてその作動は下流室６の圧力が弁体Ｂ１２を図示で下方に加圧するのに対して、導孔４４を通して感圧室４５に導かれた下流室圧力はピストン４９を図示で上方に加圧するので両者の力は相殺される事になり下流室圧力は弁体Ｂ１２に作用しない。簡単な力関係で設計しやすくなる。
【００２７】
さらに他の実施例の部分詳細図を図７に示す。本実施例は弁体Ａ１０と弁体Ｂ１２を連結する弁軸１５の下端に磁石３３を装着し、排水孔１９の側壁にホール素子又はリードスイッチ３４を取付け弁軸１５が動き、弁体Ｂ１２が開弁する位置又は開弁する危険位置に来た時に磁石３３の磁力変化をホール素子又はリードスイッチ３４が検知し電気信号を出力するようにしたものである。弁体Ｂ１２が開弁又は開弁の危険を生じたときに警報が発せられるので、逆流の危険を察知して対策防止が出来る。
【００２８】
第三逆止弁５２の他の実施例の部分詳細図を図８に示す。第三逆止弁５２は常時開弁状態を保ち逆流が起きた時に確実に閉弁する非常弁であるので、塵噛み等のない確実に閉弁する弁が望まれる。本実施例は前述の目的を達成する為に成されたものであり、弁座Ｃ２８をテーパー弁座とし、それに対向する弁体Ｃ２９を球状として塵が付きにくくすると共に弁体Ｃ２９のシート面を柔らかいゴム又は内部を発泡体あるいは空気層としたゴム等の弾性体３５とし、多少の塵があってもシールを可能にし、テーパー弁座と柔らかい球状弁体により塵の付きにくいシール性の良い逆止弁としたものである。本実施例では弁体Ｃ２９を球状としたが円錐等凸状の流線型にしても良い。又弁体Ａ１０と弁体Ｃ２９を別体にして互いが僅かに動くように取り付けて、弁座Ｃ２８に対して弁体Ｃ２９が馴染みやすくして逆止弁のシールを良くすることも出来る
【００２９】
図９は本発明の逆流防止装置の上流側に開閉弁として電磁弁３６を一体的に装設した例である。もちろん本発明の逆流防止装置の下流側に開閉弁として電磁弁を一体的に装設する場合もあり、この場合は、第二逆止弁２１を省略しても良い。
【００３０】
【発明の効果】
以上のように請求項１によれば上流室と下流室の圧力を感知して開放弁を開閉するダイアフラムを上流室と下流室の間の流路に装設し、そのダイアフラムに第一逆止弁を形成したので、開放弁と第一逆止弁が連係して開閉し、第一逆止弁の通水抵抗を小さくしても開放弁が誤作動しない、小型で簡単な構造になると共に、第一逆止弁の開閉性能が良くなり、請求項２によれば一次側流路の上流室入口の周囲に弁座Ｃを形成し、弁体Ａの他面に弁体Ｃを形成して、前記弁座Ｃに対向させ第三逆止弁として、開放弁が開弁した場合に第三逆止弁を閉弁するのであるから逆流をさらに確実に防止でき、請求項３によれば弁体Ａを常時弁座Ａに附勢する附勢手段Ａの附勢の仕方で、附勢手段Ａを第一逆止弁の開閉に寄与させる、させないの選択が可能であり、目的にあった設計が可能となり、請求項４によれば弁体Ｂに加わる下流室圧力による力を相殺する弁体又はピストンを装設して弁体Ｂへの下流室圧力影響をなくすのであるから、力関係が簡単となり、請求項５によれば大気に連通する開放孔を開閉する弁体Ｂ、弁軸等の動きで信号を出力して、警報を発して未然に逆流の危険を除けるようにするのであるから、小型で通水抵抗の小さな安全性の高い安価な逆流防止装置となる。本発明ではダイアフラムを使用したが、圧力を感知して水密に動くダイアフラムと同等のものであれば何ら問題ない。
【図面の簡単な説明】
【図１】本発明に係る逆流防止装置の一実施例縦断面図であり非流水時を示す。
【図２】同実施例縦断面図の流水時を示す。
【図３】同実施例縦断面図の開放弁開弁時を示す。
【図４】本発明に係る同装置の他の実施例縦断面図であり非流水時を示す。
【図５】本発明に係る同装置の他の実施例縦断面図であり非流水時を示す。
【図６】本発明に係る同装置の他の実施例縦断面図であり流水時を示す。
【図７】本発明に係る同装置の他の実施例部分詳細図である。
【図８】本発明に係る同装置の他の実施例部分詳細図である。
【図９】本発明に係る同装置に電磁弁を装設した一実施例縦断面図である。
【図１０】従来の逆流防止装置の一例の縦断面図である。
【図１１】従来の逆流防止装置の一例の縦断面図である。
【符号の説明】
１−−弁箱Ａ    ２−−弁箱Ｂ    ７−−ダイアフラム
９−−弁座Ａ      １０−−弁体Ａ    １１−−弁座Ｂ
１２−−弁体Ｂ    １３−−透孔    １５−−弁軸
１６−−バネＡ    ２１−−第二逆止弁      ２７−−バネＢ
２８−−弁座Ｃ    ２９−−弁体Ｃ    ３３−−磁石
３４−−ホール素子又はリードスイッチ    ３５−−弾性体
３６−−電磁弁    ３８−−ダイアフラムストッパー
５０−−第一逆止弁    ５１−−開放弁
【図１】
0003786037.tif 000002
【図２】
0003786037.tif 000003
【図３】
0003786037.tif 000004
【図４】
0003786037.tif 000005
【図５】
0003786037.tif 000006
【図６】
0003786037.tif 000007
【図７】
0003786037.tif 000008
【図８】
0003786037.tif 000009
【図９】
0003786037.tif 000010
【図１０】
0003786037.tif 000011
【図１１】
0003786037.tif 000012